(57)【特許請求の範囲】
【請求項１】
２個の合わせ型のキャビティーで型成型されたカードホルダであって、
カードの一部の裏面と対向する裏面部と該裏面部と一体的に型成型され該裏面部と所定間隔隔てて該カードの該裏面部と該合わせ型の離型方向に重ならない部分に形成され該カードの一部の表面と対向する表面部とを有する枠体と、
該枠体の該裏面部の中央部分に薄肉化された屈曲部で一体的に連結され該屈曲部の両端から延びる空間で該裏面部と分離されて区画される支え部と、を有し、
前記屈曲部は前記支え部の下方と前記裏面部とを連結し、
該屈曲部の反対側の部分に薄肉化された第２屈曲部で該支え部と一体的に連結され該第２屈曲部の両端から延びる空間で該支え部と分離されて区画され、該第２屈曲部の反対側の部分に該裏面部に着脱自在に係止される係止部をもち、該係止部が該裏面部に係止された状態で該支え部と該裏面部とで三角形を形成する連結部をもち、
前記連結部は前記支え部が前記裏面部に対して屈曲していない状態で該連結部を該支え部に対して１８０°回転させた状態で該裏面部に着脱自在に係止する第２係止部と、該第２係止部が係止された状態で該連結部の前記第２屈曲部の前記反対側の部分が前記枠体より外側に突出し該突出した反対側の部分に壁等に係止される第３係止部をもつ、
ことを特徴とするカードホルダ。
【請求項２】
該支え部の前記屈曲部の反対側の部分とその部分に隣接する前記裏面部との間に易破断接続部をもつ請求項１に記載のカードホルダ。
【請求項３】
前記屈曲部及び前記第２屈曲部が屈曲されていない状態で、前記裏面部、前記支え部及び前記連結部はほぼ面一の平板状である請求項１又は２に記載のカードホルダ。
【発明の詳細な説明】
【０００１】
【発明の属する技術分野】
本発明は、カード状のカレンダ片や写真等を収納できるカードホルダに関する。
【０００２】
【従来の技術】
従来、カード状のカレンダー片や写真などを収納して机上や壁上に飾ることができるカードホルダとしては、特開平１１−５９０１８号公報に、カード状に切り揃えられたカレンダー片を挿入、保持せしめる枠体に対して着脱自在に構成された板状の脚体に、壁掛け用の掛止部を設けてなることを特徴とする壁掛け兼用卓上カレンダーが開示されている。
【０００３】
また、実開平５−８８９７８号公報に、窓孔を有する正面部、背面部、及び底面部を少なくとも有するホルダー本体展開部と、該ホルダー本体展開部における底面部に一連に接続した支脚展開部を備え、その支脚展開部に切込線により掛止部、支脚部、及び押え部を設けたプラスチックシート製基板を形成し、該基板における上記ホルダー本体展開部の所要箇所を折り曲げてホルダー本体を組立てると共に、上記の支脚展開部における掛止部をホルダー本体の背面部の内面側に掛止した状態で支脚部を屈曲状態となし且つ支脚部の屈曲による弾力性を利用して押え部をホルダー本体の背面部の外面側に当接することにより支脚を組立てるようになした卓上カレンダーホルダーが開示されている。
【０００４】
【発明が解決しようとする課題】
しかしながら従来のカードホルダは２つ以上の部材を組み立てて製造することが必要であったり、１つの部材からなるものでも成型後に折り曲げ加工等の煩雑な後加工が必要であったりした。そのために従来のカードホルダは廉価に製造することが困難でありノベルティ等のコスト要求の高い用途に適用しがたいものであった。
【０００５】
そこで本発明では単純な射出成型により簡便に成型でき、低コストで製造できるカードホルダを提供することを解決すべき課題とする。
【０００６】
【課題を解決するための手段】
上記課題を解決する本発明のカードホルダは２個の合わせ型のキャビティーで型成型されたカードホルダであって、カードの一部の裏面と対向する裏面部と該裏面部と一体的に型成型され該裏面部と所定間隔隔てて該カードの該裏面部と該合わせ型の離型方向に重ならない部分に形成され該カードの一部の表面と対向する表面部とを有する枠体と、該枠体の該裏面部の中央部分に薄肉化された屈曲部で一体的に連結され該屈曲部の両端から延びる空間で該裏面部と分離されて区画される支え部と、を有し、
前記屈曲部は前記支え部の下方と前記裏面部とを連結し、
該屈曲部の反対側の部分に薄肉化された第２屈曲部で該支え部と一体的に連結され該第２屈曲部の両端から延びる空間で該支え部と分離されて区画され、該第２屈曲部の反対側の部分に該裏面部に着脱自在に係止される係止部をもち、該係止部が該裏面部に係止された状態で該支え部と該裏面部とで三角形を形成する連結部をもち、
前記連結部は前記支え部が前記裏面部に対して屈曲していない状態で該連結部を該支え部に対して１８０°回転させた状態で該裏面部に着脱自在に係止する第２係止部と、該第２係止部が係止された状態で該連結部の前記第２屈曲部の前記反対側の部分が前記枠体より外側に突出し該突出した反対側の部分に壁等に係止される第３係止部をもつ、
ことを特徴とする（請求項１）。
【０００７】
つまり、成型に用いる金型が２つの合わせ型のみでよいので金型の製造コストを節約することが可能となり、結果としてカードホルダの製造コストが低下できる。カードホルダが２つの合わせ型のキャビティーで型成型されたか否かはカードホルダの形状からも判断できる。具体的にはカードホルダの形状が合わせ型の離型方向に重ならず、スライド等を使用しない形状か否かで判断できる。なお、成形品の一部に多少の無理抜き部分があっても良い。
また、前記屈曲部は前記支え部の下方と前記裏面部とを連結し、該屈曲部の反対側の部分に薄肉化された第２屈曲部で該支え部と一体的に連結され該第２屈曲部の両端から延びる空間で該支え部と分離されて区画され、該第２屈曲部の反対側の部分に該裏面部に着脱自在に係止される係止部をもち、該係止部が該裏面部に係止された状態で該支え部と該裏面部とで三角形を形成する連結部をもたせることで、机上等で使用する場合に確実に支え部を固定して安定させることができる。
そして、前記連結部は前記支え部が前記裏面部に対して屈曲していない状態で該連結部を該支え部に対して１８０°回転させた状態で該裏面部に着脱自在に係止する第２係止部と、該第２係止部が係止された状態で該連結部の前記第２屈曲部の前記反対側の部分が前記枠体より外側に突出し該突出した反対側の部分に壁等に係止される第３係止部をもたせることで、同一のカードホルダを壁掛け用に使用したり、机上等で使用したりすることが別体の部材等を用いて高コストとすることなく可能となる利点がある。
【０００８】
そして、前記支え部の前記屈曲部の反対側の部分とその部分に隣接する前記裏面部との間に易破断接続部をもつことで（請求項２）、本カードホルダを使用する前の輸送、携帯途中等の望まない場合の支え部の屈曲を抑えることができる。さらに、本カードホルダを後述するように壁掛け用に用いる場合には易破断接続部を破断せずに用いることで支え部を枠体の裏面部に固定でき安定して壁に本カードホルダを固定することができるという利点がある。ここで、本カードホルダを机上等で使用する場合には易破断接続部を破断して支え部を裏面部から外して使用することが容易にできる。
【００１１】
そして、前記屈曲部及び前記第２屈曲部が屈曲されていない状態で、前記裏面部、前記支え部及び前記連結部はほぼ面一の平板状とすることで（請求項３）、カードホルダ全体としても形状を平板状に近づけることができ、本カードホルダをノベルティ等に用いる場合に嵩張らずに封筒等に収納して顧客等に配布することができるという利点が生ずる。
【００１２】
【実施例】
本実施例のカードホルダは、図１、２に示すように、裏面部１０と表面部１１、１２、１３とをもつ枠体と、枠体下方に位置する屈曲部４１、４２、４３により裏面部１０に連結された支え部２０と、枠体上方に位置する第２屈曲部５１、５２で支え部２０に連結された連結部３０をもつ。図１は本カードホルダの正面図であり、図２は一使用態様（立状態）においての図１におけるＩＩ−ＩＩ断面図である。
【００１３】
裏面部１０は収納されるカードの裏面と対向する部材であり、下方に連結部３０の第２屈曲部５１、５２と反対側に位置する係止部３３が嵌合できる下方係止部１０１と、上方に連結部３０の中央付近に位置する第２係止部３２が嵌合できる上方係止部１０２とをもつ。下方係止部１０１及び上方係止部１０２は矩形の孔であり中央付近に係止部３３及び第２係止部３２との嵌合を強固なものとするために突起部をもつ。裏面部１０は薄い板状体であるので補強のために複数のリブ１０３、１０４をもつ。
【００１４】
表面部１１、１２、１３は収納されるカードの表面の一部と対向する部材であり、裏面部１０の両端から側面部１１１、１２１を介して一体的に連結される。裏面部１０の正面から見て表面部１１、１２、１３の位置する部分は切り欠きが設けられており、型成型により本カードホルダを製造するときに使用する合わせ型が離型する際に重ならないようになっている。表面部１３の裏面部１０側には収納されるカードの下方の位置決めをするとともに表面部１３を補強する左右方向に延びるリブ状部材である位置決め板１３１をもつ。
【００１５】
支え部２０は屈曲部４１、４２、４３により裏面部１０と連結されている。屈曲部４１、４２、４３はそれぞれ裏面部１０及び支え部２０よりも薄い部材であり、自在に屈曲可能な部材である。支え部２０は裏面部１０とほぼ同一平面の位置から裏面部１０の表面部１１、１２、１３の反対側方向に向けて屈曲できる。屈曲させた支え部２０は枠体を支持する脚とできる。支え部２０の屈曲部４１、４２、４３の反対側と裏面部１０とは易破断接続部６０により連結される。易破断接続部６０は厚みを薄くしたり幅を小さくしたりすることで屈曲部４１、４２、４３よりも強度を低くした部材であり、必要に応じて容易に破断できる。
【００１６】
連結部３０は支え部２０の屈曲部４１、４２、４３と反対側（上方）と第２屈曲部５１、５２を介して連結されている。第２屈曲部５１、５２は屈曲部４１、４２、４３と同様にそれぞれ支え部２０及び連結部３０よりも薄い部材であり、自在に屈曲可能な部材である。連結部３０は、第２屈曲部５１、５２と反対側の先端部に先端方向に延びる突起状の部材である係止部３３と、中央付近から突出する突起状の部材である第２係止部３２とをもつ。係止部３３は裏面部１０の下方係止部１０１に嵌合可能である。第２係止部３２は裏面部１０の上方係止部１０２に嵌合可能である。さらに、連結部３０は先端付近の厚み方向に設けられた孔である第３係止部３１をもつ。第３係止部３１は壁上に設けられたフック等に掛けることができる。
【００１７】
本カードホルダの型成型を以下に説明する。本カードホルダは枠体の表面部１１、１２、１３方向に位置する上型（図略）と裏面部１０方向に位置する下型（図略）の２つの合わせ型で成型可能な形状である。上型と下型とで形成されるキャビティ内に樹脂を射出した後に上型と下型とを離型する際に支え部２０及び連結部３０は問題なく離型できる。裏面部１０と表面部１１、１２、１３と側面部１１１、１２１とは裏面部１０の表面部１１、１２、１３の位置する部分が切り欠かれているので、型と成形品である本カードホルダとは干渉せずに上型と下型とはスムーズに離型できる。
【００１８】
次いで本カードホルダの使用形態を以下に説明する。本カードホルダは使用前には図１に示すように裏面部１０、支え部２０及び連結部３０がほぼ同一平面となるようにしてある。この状態では嵩張らず、輸送、収納、携帯に便利である。
【００１９】
本カードホルダにカードを収納するにはカード（１枚でも複数枚でもよい）を枠体の表面部１１、１２、１３と裏面１０と側面部１１１、１２１とで区画される空間内に枠体の上方向から挿入することで行える。カードは左右方向の両端と下端との表面の一部が拘束されるので本カードホルダから脱落しない。カードは表面のごく一部のみ拘束されるので表面からのアクセス（カード表面にメモ等を記入したりすること）を妨げない。
【００２０】
本カードホルダを机上等に立状態に配置するときには図２に示すように支え部２０及び連結部３０が屈曲するように屈曲部４１、４２、４３及び第２屈曲部５１、５２を屈曲する。具体的には支え部２０が枠体の下方の位置まで到達するまで屈曲部４１、４２、４３を屈曲し、連結部３０の先端の係止部３３が裏面部１０の下方係止部１０１と嵌合係止できるように第２屈曲部５１、５２を屈曲する。係止部３３と下方係止部１０１とを嵌合することで、裏面部１０と支え部２０と連結部３０とは三角形を形成し安定な形状となって支え部２０の位置が安定し、支え部２０は枠体を支える役割を充分に果たすことができる。
【００２１】
また、本カードホルダを壁上等に掛ける場合には図３に示すように支え部２０は屈曲させず、連結部３０のみを１８０°にまで屈曲するように第２屈曲部５１、５２を屈曲させる。屈曲させた連結部３０の第２係止部３２は裏面部１０上方の上方係止部１０２に嵌合係止されることで裏面部１０と連結部３０とが固定される。このときに易破断接続部６０を破断せずに使用することで支え部２０は裏面部１０に固定され安定するので結果として連結部３０の位置も安定する。連結部３０の先端付近の第３係止部３１を壁上等にあらかじめ設けたフック等に掛けることで本カードホルダを壁上等に固定できる。
【００２２】
【発明の効果】
以上説明したように、本発明のカードホルダは上述の構成をもつことから、単純な射出成型により簡便に成型でき、低コストで製造できるという効果をもつ。
【図面の簡単な説明】
【図１】実施例のカードホルダを示した正面図である。
【図２】実施例のカードホルダの立状態での使用時における断面図である。
【図３】実施例のカードホルダの壁掛け状態での使用時における側面図である。
【符号の説明】
１０…裏面部    １１、１２、１３…表面部    １１１、１２１…側面部
１０１…下方係止部    １０２…上方係止部    １０３、１０４…リブ
２０…支え部
３０…連結部    ３１…第３係止部    ３２…第２係止部    ３３…第３係止部
４１、４２、４３…屈曲部    ５１、５２…第２屈曲部
６０…易破断接続部
【図１】
0003838345.tif 000002
【図２】
0003838345.tif 000003
【図３】
0003838345.tif 000004